(57)【要約】      （修正有）【課題】取付姿勢が傾斜した場合でも対応ができ、しかも、水の内側への溜まりを防止し、排水できるようにする。【解決手段】ケーシング１１が、結露防止用の呼吸穴３１を備え、呼吸穴３１の近傍に外部から呼吸穴３１への水侵入を防止するためのリブ３２を備えたラジエータ用クーリングファン制御ボックス１であって、リブ３２を、概略Ｕ字状を呈して呼吸穴３１の周囲の略半分の領域を取囲む内側リブ３３と、内側リブ３３と略向い合せの概略Ｕ字状を呈して呼吸穴３１の周囲の残りの略半分の領域を取囲む外側リブ３４との２種類を組合せて構成すると共に、内側リブ３３の両腕部３６に、呼吸穴３１の位置を越えて外側リブ３４の両腕部３８の内側まで延びる延長部４５を設け、外側リブの両腕部３８に、内側リブの両腕部３６の延長部４５に対し外側に離間、重複配置され、且つ、呼吸穴３１の手前の位置で止まるように短縮された短縮部４６を設けるようにしている。【選択図】図４
2007276637.tif 000002
【特許請求の範囲】
【請求項１】
エンジンルーム内に設置されるケーシングと、該ケーシングの内部に収容される制御基板とを備えると共に、
前記ケーシングが、結露防止用の呼吸穴を備え、該呼吸穴の近傍に外部から呼吸穴への水浸入を防止するためのリブを備えたラジエータ用クーリングファン制御ボックスにおいて、
前記リブを、概略Ｕ字状を呈して呼吸穴の周囲の略半分の領域を取囲む内側リブと、該内側リブと略向い合せの概略Ｕ字状を呈して呼吸穴の周囲の残りの略半分の領域を取囲む外側リブとの２種類を組合せて構成すると共に、
前記内側リブの両腕部に、呼吸穴の位置を越えて外側リブの両腕部の内側まで延びる延長部を設け、
前記外側リブの両腕部に、内側リブ両腕部の延長部に対し外側に離間配置されると共に重複配置され、且つ、呼吸穴の手前の位置で止まるように短縮された短縮部を設けたことを特徴とするラジエータ用クーリングファン制御ボックス。
【請求項２】
前記外側リブの両腕部を、平行状態よりも外側へ開く末広形状に配置したことを特徴とする請求項１記載のラジエータ用クーリングファン制御ボックス。
【請求項３】
前記内側リブと、前記外側リブとを、それぞれ所要の間隔を有して２本ずつ設置したことを特徴とする請求項１または２記載のラジエータ用クーリングファン制御ボックス。
【発明の詳細な説明】
【技術分野】
【０００１】
この発明は、ラジエータ用クーリングファン制御ボックスに関するものである。
【背景技術】
【０００２】
自動車などの車両には、エンジンルーム内にラジエータ用クーリングファン制御ボックスが設けられている。このラジエータ用クーリングファン制御ボックスは、エンジンルーム内に設置されたケーシングに結露防止用の呼吸穴を備えている。そして、この呼吸穴の近傍には外部から呼吸穴への水浸入を防止するためのリブが備えられている。
【０００３】
この種の呼吸穴およびリブを備えたものとして、従来、特許文献１に示すようなものが知られている。
【特許文献１】特開平８−２６８１５９号公報
【発明の開示】
【発明が解決しようとする課題】
【０００４】
しかしながら、上記特許文献１に記載されたものでは、外部から呼吸穴への水の浸入を防止するためのリブが、逆Ｕ字状のひさしとされているが、この逆Ｕ字状のひさしは、下側が開放されているため、開いている下側からの水の浸入を防止することができないという問題があった。また、取付姿勢が大きく傾斜するようなことがある場合には、開放されている部分が横や上を向くことになるため、この構造が最適であるとは言い難かった。
【０００５】
これに対し、下側からの水の浸入をも防止できるようにするために、リブの形状を、呼吸穴の周囲を取囲む円形状にすることが考えられるが、このようにした場合、水がリブを乗り越えて円形状の内側の領域へ浸入した時に、内側に溜まった水を排水することができない、という新たな問題を生じてしまう。よって、この構造も最適なものとは言えない。
【課題を解決するための手段】
【０００６】
上記課題を解決するために、請求項１に記載された発明では、エンジンルーム内に設置されるケーシングと、該ケーシングの内部に収容される制御基板とを備えると共に、前記ケーシングが、結露防止用の呼吸穴を備え、該呼吸穴の近傍に外部から呼吸穴への水浸入を防止するためのリブを備えたラジエータ用クーリングファン制御ボックスにおいて、前記リブを、概略Ｕ字状を呈して呼吸穴の周囲の略半分の領域を取囲む内側リブと、該内側リブと略向い合せの概略Ｕ字状を呈して呼吸穴の周囲の残りの略半分の領域を取囲む外側リブとの２種類を組合せて構成すると共に、前記内側リブの両腕部に、呼吸穴の位置を越えて外側リブの両腕部の内側まで延びる延長部を設け、前記外側リブの両腕部に、内側リブ両腕部の延長部に対し外側に離間配置されると共に重複配置され、且つ、呼吸穴の手前の位置で止まるように短縮された短縮部を設けたラジエータ用クーリングファン制御ボックスを特徴としている。
【０００７】
請求項２に記載された発明では、前記外側リブの両腕部を、平行状態よりも外側へ開く末広形状に配置したラジエータ用クーリングファン制御ボックスを特徴としている。
【０００８】
請求項３に記載された発明では、前記内側リブと、前記外側リブとを、それぞれ所要の間隔を有して２本ずつ設置したラジエータ用クーリングファン制御ボックスを特徴としている。
【発明の効果】
【０００９】
請求項１の発明によれば、上記の構成としたことにより、呼吸穴の周囲の領域全体が内側リブと外側リブとによって取囲まれることとなるので、全方向に対する水の浸入を防止することができる。よって、ケーシングの取付姿勢が傾斜しているような場合であっても、容易に対応することが可能である。この際、両リブによって浸入を遮られた水は、各リブの外側を伝い流れることとなる。また、仮に、水が各リブを乗り越えて領域の内側に浸入した場合であっても、内側リブと外側リブとの２本に分けて、両者の両腕部を離間配置および重複配置させるようにしているので、内側に浸入した水を両腕部間の隙間を通して外部へ排水することができる。更に、領域の内側に水が溜まってしまった場合であっても、呼吸穴の位置が溜まった水の水位よりも高くなるように設定されているので、呼吸穴からの水の浸入が防止される。
【００１０】
請求項２の発明によれば、外側リブの両腕部を、平行状態よりも外側へ開く末広形状に配置したことにより、ケーシングの取付姿勢が傾斜したような場合に、末広形状の両腕部が排水を促す勾配として機能するため、呼吸穴からの水の浸入を有効に防止することができる。
【００１１】
請求項３の発明によれば、内側リブと、前記外側リブとを、それぞれ所要の間隔を有して２本ずつ設置したことより、表面張力の作用を利用して二本のリブ間に水を捕集することができ、これによって水が各リブを乗り越え難くなり、以て、呼吸穴からの水の浸入を効果的に防止することができる。この際、二本のリブ間に捕集された水は、リブ間にできる通路を伝い流れることとなる。
【発明を実施するための最良の形態】
【００１２】
取付姿勢が傾斜した場合でも対応ができ、しかも、水の内側への溜まりを防止し、排水できるようにするという目的を、リブを、概略Ｕ字状を呈して呼吸穴の周囲の略半分の領域を取囲む内側リブと、内側リブと略向い合せの概略Ｕ字状を呈して呼吸穴の周囲の残りの略半分の領域を取囲む外側リブとの２種類を組合せて構成すると共に、内側リブの両腕部に、呼吸穴の位置を越えて外側リブの両腕部の内側まで延びる延長部を設け、外側リブの両腕部に、内側リブ両腕部の延長部に対し外側に離間配置されると共に重複配置され、且つ、呼吸穴の手前の位置で止まるように短縮された短縮部を設ける、という手段で実現した。
【実施例】
【００１３】
以下、本発明を具体化した実施例について、図示例と共に説明する。
【００１４】
図１〜図７は、この発明の実施例を示すものである。
【００１５】
まず、構成について説明すると、自動車などの車両における、エンジンルーム内にラジエータ用クーリングファン制御ボックス１を設ける。例えば、図１に示すように、このラジエータ用クーリングファン制御ボックス１は、ラジエータ２の後面に取付けられたクーリングファン装置３のファンフレーム４における後面上方の一側部近傍に取付けられている。この取付位置は、エンジンルームの中では比較的水が当り易い部位にあって、より水の影響が少なく、通風の妨げになり難く、他の電子機器との連係に便宜の良い位置となることを考慮して選定されたものである。なお、ラジエータ用クーリングファン制御ボックス１は、ファンフレーム４における後面上方の中央部または他側部近傍に取付けることもできる。
【００１６】
また、ファンフレーム４には、ほぼ円形のファンスペース５が左右に開口されており、このファンスペース５に、左右のファン６が回転自在に配設されている。また、ファンスペース５の中心部には、半径方向へ延びる複数本のステー７を介してモータ取付座８が支持されており、このモータ取付座８に取付けられたファンモータ１０の出力軸に上記ファン６が回転駆動可能に軸着されている。
【００１７】
上記ラジエータ用クーリングファン制御ボックス１は、図２に示すような外観を有しており、図３に示すように、ケーシング１１と、このケーシング１１の内部に収容される制御基板１３とを備えている。
【００１８】
上記ケーシング１１は、正面視ほぼ矩形状を呈する浅い平型容器状のケーシング本体１４と、このケーシング本体１４の開口面を覆うように取付可能な形状および大きさを有する薄い蓋状のアッパケーシング１５とを備えた密閉容器として構成されている。アッパケーシング１５は、ケーシング本体１４の開口縁部に形成された周溝に対し、縁部を嵌着した状態で、その四隅部分をネジ２４によって締結固定されている。このケーシング１１の上辺部は、両側部分に、水が溜まりにくいようにするためのアール処理が施されている。なお、このケーシング１１の外面に対し、更にシールドカバー１２を被着することにより、二重の防水対策を採用している（図２参照）。
【００１９】
このケーシング本体１４の両側面からは、取付用のネジ穴１６を有する舌片状の取付片部１７がそれぞれ突設されている。また、ケーシング本体１４の背面の略全面からは、放熱面積を拡大するためのヒートシンク１８が突設形成されている。更に、ケーシング本体１４の底面や側面などからは端子部１９〜２１が適宜突設形成されている。なお、端子部１９は、外部からの入力用、端子部２０，２１は各ファンモータ１０への出力用となっている。
【００２０】
一方、上記制御基板１３には、ＰＷＭ（パルス幅変調）方式の電子回路が採用されている。この制御基板１３に使用されるＩＣチップ２２は、端子間距離が隣接しており、上記したような水が当り易い環境に置かれた場合に、結露によるショートが懸念されるものである。なお、この制御基板１３は、ケーシング本体１４の内部にネジ２３などを用いて固定される。
【００２１】
そのため、このケーシング１１には、結露防止用の呼吸穴３１が備えられる。また、呼吸穴３１の近傍には、外部から呼吸穴３１への水浸入を防止するためのリブ３２が備えられている。この場合、呼吸穴３１およびリブ３２は、アッパケーシング１５の中央の平面状をした部分に設けられている。
【００２２】
以上のような基本構成に対し、この実施例のものでは、図４に示すように、上記リブ３２を、概略Ｕ字状を呈して呼吸穴３１の周囲の略半分の領域を取囲む内側リブ３３と、この内側リブ３３と略向い合せの概略Ｕ字状を呈して呼吸穴３１の周囲の残りの略半分の領域を取囲む外側リブ３４との２種類を組合せて構成する。
【００２３】
この図４の場合には、内側リブ３３は、上方へ開いた正立のＵ字状を呈している。この内側リブ３３は、概略下半円弧状をした屈曲部３５と、この屈曲部３５の両端からほぼ鉛直上方へ向けて平行に延びる両腕部３６とを有している。そして、内側リブ３３は、呼吸穴３１の下半分の領域を取り囲んでいる。
【００２４】
また、図４の場合には、外側リブ３４は、下方へ開いた倒立のＵ字状を呈している。この外側リブ３４は、概略上半円弧状をした屈曲部３７と、この屈曲部３７の両端からほぼ鉛直下方へ向けて平行に延びる両腕部３８とを有している。そして、外側リブ３４は、呼吸穴３１の上半分の領域を取り囲んでいる。
【００２５】
ここで、内側リブ３３の屈曲部３５は、外側リブ３４の屈曲部３７よりも一回り半径の小さい円で構成されている。また、内側リブ３３の屈曲部３５の中心３９と、外側リブ３４の屈曲部３７の中心４０とは、一致されておらず、同一の鉛直線４１上で上下にずらせて配置されている。即ち、内側リブ３３の屈曲部３５の中心３９の方が、外側リブ３４の屈曲部３７の中心４０よりも低い位置に設定されている。そして、上記呼吸穴３１は、２つの中心３９，４０の間の位置に設定された水平線４２の上に所要の間隔を有して２個形成されている。この２個の呼吸穴３１は、上記鉛直線４１に関して左右対称の位置に設けられている。
【００２６】
そして、内側リブ３３の両腕部３６に、呼吸穴３１の位置（水平線４２）を越えて外側リブ３４の両腕部３８の内側まで延びる延長部４５を設ける。この延長部４５は、外側リブ３４の屈曲部３７にほぼ達する程度の長さとする。
【００２７】
更に、外側リブ３４の両腕部３８に、内側リブ３３の両腕部３６の延長部４５に対し外側に離間配置されると共に重複配置され、且つ、呼吸穴３１の手前の位置で止まるように短縮された短縮部４６を設ける。外側リブ３４の両腕部３８と、内側リブ３３の両腕部３６との間隔４７は、表面張力が作用して間に水を捕集してしまうことのない程度の広さとする。また、短縮部４６は、延長部４５の半分程度の長さとする。
【００２８】
また、上記に対する変形例として、図５に示すように、外側リブ３４の両腕部３８を、平行状態よりも外側へ開く末広形状（末広形状腕部５１）に配置することもできる。
【００２９】
更に、別の変形例として、図６に示すように、内側リブ３３と、外側リブ３４とを、それぞれ所要の間隔を有して２本ずつ設置することもできる。この場合、二本のリブ３２の間隔（リブ幅５３）は、表面張力の作用を利用して間に水を捕集できるようなものとする。例えば、リブ幅５３は、２．０ｍｍなどとする。この場合、リブ３２高さは１．３ｍｍとされているので、上記リブ幅５３は、リブ３２高さの約１．５倍となっている。なお、図６は、図５の内側リブ３３と外側リブ３４とに対するものであるが、図４の内側リブ３３と外側リブ３４とに対して適用することもできる。
【００３０】
次に、この実施例の作用について説明する。
【００３１】
この実施例によれば、リブ３２を、概略Ｕ字状を呈して呼吸穴３１の周囲の略半分の領域を取囲む内側リブ３３と、内側リブ３３と略向い合せの概略Ｕ字状を呈して呼吸穴３１の周囲の残りの略半分の領域を取囲む外側リブ３４との２種類を組合せて構成すると共に、内側リブ３３の両腕部３６に、呼吸穴３１の位置を越えて外側リブ３４の両腕部３８の内側まで延びる延長部４５を設け、外側リブ３４の両腕部３８に、内側リブ３３の両腕部３６の延長部４５に対し外側に離間配置されると共に重複配置され、且つ、呼吸穴３１の手前の位置で止まるように短縮された短縮部４６を設けるようにしたことにより、呼吸穴３１の周囲の領域全体が内側リブ３３と外側リブ３４とによって取囲まれることとなるので、全方向に対する水の浸入を防止することができる。よって、ケーシング１１の取付姿勢が傾斜しているような場合であっても、容易に対応することが可能である。この際、両リブ３２によって浸入を遮られた水は、各リブ３２の外側を伝い流れることとなる。
【００３２】
また、仮に、水が各リブ３２を乗り越えて領域の内側に浸入した場合であっても、内側リブ３３と外側リブ３４との２本に分けて、両者の両腕部を離間配置および重複配置させるようにしているので、内側に浸入した水を両腕部間の隙間を通して外部へ排水することができる。
【００３３】
更に、領域の内側に水が溜まってしまった場合であっても、呼吸穴３１の位置が溜まった水の水位よりも高くなるように設定されているので、呼吸穴３１からの水の浸入が防止される。
【００３４】
即ち、図７は、ケーシング１１を少しずつ回転させながら、上方からの水がどのように流れるかを、各姿勢ごとに調べた様子を示すものであるが、上から一列目と二列目の前半まで、および、下から二列目の後半から最下列までにほぼ示されるように、外側リブ３４の両端部Ｂが水平よりも下り勾配となっている間は、両リブ３２の内側に水を溜めることなく外側を伝い流すことができる。
また、上から二列目の後半、中間の二列、下から二列目の前半までにほぼ示されるように、外側リブ３４の両端部Ｂが水平よりも上り勾配となった間は、外側リブ３４の内側に水が溜まるが、呼吸穴３１の高さに達する前に排水することができる。
【００３５】
また、上記した最初の変形例によれば、外側リブ３４の両腕部３８を、平行状態よりも外側へ開く末広形状に配置したことにより、ケーシング１１の取付姿勢が傾斜したような場合に、末広形状の両腕部が排水を促す勾配として機能するため、呼吸穴３１からの水の浸入を有効に防止することができる。
【００３６】
そして、上記した別の変形例によれば、内側リブ３３と、外側リブ３４とを、それぞれ所要の間隔を有して２本ずつ設置したことより、表面張力の作用を利用して二本のリブ３２間に水を捕集することができ、これによって水が各リブ３２を乗り越え難くなり、以て、呼吸穴３１からの水の浸入を効果的に防止することができる。この際、二本のリブ３２間に捕集された水は、リブ３２間にできる通路を伝い流れることとなる。
【００３７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００３８】
【図１】本発明の実施例にかかるラジエータ用クーリングファン制御ボックスの取付状態を示すクーリングファン装置の背面図である。
【図２】図１のラジエータ用クーリングファン制御ボックスに対してシールドカバーを取付けた状態を示しており、（ａ）は側面図、（ｂ）は正面図である。
【図３】図１のラジエータ用クーリングファン制御ボックスに対してシールドカバーを取付けていない状態を示しており（ａ）は側方から見た断面図、（ｂ）は正面図、（ｃ）は図３（ｂ）を一部破断した正面図である。
【図４】図３（ｂ）の部分拡大図である。
【図５】本発明の変形例を示す図４と同様の図である。
【図６】本発明の他の変形例を示す図４と同様の図である。
【図７】水の流れを、姿勢を変えて調べた様子を示す図である。
【符号の説明】
【００３９】
１    ラジエータ用クーリングファン制御ボックス
１１  ケーシング
１３  制御基板
３１  呼吸穴
３２  リブ
３３  内側リブ
３４  外側リブ
３６  両腕部
３８  両腕部
４５  延長部
４６  短縮部
【図１】
2007276637.tif 000003
【図２】
2007276637.tif 000004
【図３】
2007276637.tif 000005
【図４】
2007276637.tif 000006
【図５】
2007276637.tif 000007
【図６】
2007276637.tif 000008
【図７】
2007276637.tif 000009